(57)【特許請求の範囲】
【請求項１】
基板に被覆させた被覆板を固定部材によって着脱自在に固定する被覆板の固定構造において、
前記固定部材は、前記被覆板に設けられているクリップ孔と、前記クリップ孔に対して回動自在で且つ抜け止め状態に装着される樹脂製のクリップ体とからなり、
前記クリップ孔に対応する前記基板の所定位置には係止孔が設けられ、
前記クリップ体は、前記クリップ孔及び前記係止孔に連続して挿通可能な係止脚部と、前記クリップ孔に対して強制嵌入により抜け止め状態に係止される係止腕部と、前記係止脚部を前記係止孔に対して抜け止め状態に係止可能となる方向へ回動操作可能な操作頭部とが、軸部を介して一体的に設けられてあり、
前記係止脚部は、前記軸部の一端近傍の相互に対向する各位置から両側方にそれぞれ一つずつ突設されており、
前記係止腕部は、前記係止脚部間の相互に対向する各位置から両側方にそれぞれ一つずつ、前記軸部の他端に向かって前記軸部から離反しながら斜めに延長するように突設されており、
前記クリップ孔は、被覆板の一方面に開放し且つ前記一対の係止脚部が同時に挿通可能な長孔とその中心に設けられ且つ前記一対の係止腕部が相互に近接する方向に弾性変形しながら挿通可能な大きさの丸孔とからなる形状の第１孔と、前記第１孔に連通すると共に被覆板の他方面に開放し且つ前記係止脚部及び前記係止腕部を同時に収容可能な深さの第２孔とからなり、
前記係止孔は、前記第１孔と同じ大きさ形状の長孔の中央に、前記一対の係止腕部が自然状態で挿通可能な大きさの丸孔を有する形状に構成されてあり、
前記係止脚部は、前記係止孔の前記長孔を挿通後、前記操作頭部の操作により所定角度回動させられた状態にて、前記係止孔の前記丸孔に係止可能であることを特徴とする被覆板の固定構造。
【請求項２】
請求項１に記載の被覆板の固定構造において、前記操作頭部は、前記係止脚部の突設方向に細長い断面形状に構成されていることを特徴とする被覆板の固定構造。
【請求項３】
請求項１又は請求項２に記載の被覆板の固定構造において、前記クリップ体の前記操作頭部の基端部に、円板部を周方向に張り出させると共に、前記操作頭部と反対側の面に凸部を突設させ、
前記係止脚部が前記クリップ孔に挿通可能な前記クリップ体の第１の姿勢時と、前記第１の姿勢から前記係止脚部を周方向に９０度回動させた前記クリップ体の第２の姿勢時にて、前記凸部が対応する前記クリップ孔の周辺の各位置に、前記凸部が嵌合可能な凹部がそれぞれ設けられ、
前記係止脚部と前記円板部との間の距離は、前記係止孔の深さと前記クリップ孔の深さを合わせた長さに略一致するように設定されていることを特徴とする被覆板の固定構造。
【請求項４】
請求項１から請求項３のいずれかに記載の被覆板の固定構造において、前記係止脚部よりも前記操作頭部寄りの前記軸部に、一対の支持脚部を前記係止脚部と同方向に突設させ、
前記係止脚部と前記支持脚部との間の距離は、前記基板の肉厚に略一致するように設定されていることを特徴とする被覆板の固定構造。
【請求項５】
請求項１から請求項４のいずれかに記載の被覆板の固定構造において、前記基板はファンヒーターの背面板であり、前記被覆板は矩形枠内にフィルター面を具備させたエアフィルターであり、
前記矩形枠の上辺近傍の両端に係止フックがそれぞれ斜め下方へ向かって突設されていると共に、前記係止フックが対応する前記背面板の所定箇所には前記係止フックが係止可能な係止孔部がそれぞれ設けられ、
前記係止フックを前記係止孔部に係止させた状態にて、前記矩形枠の下辺が対応する前記背面板の両端近傍には、前記下辺を受ける支持フックが設けられていると共に、前記クリップ孔は、前記下辺の中央に設けられていることを特徴とする被覆板の固定構造。
【発明の詳細な説明】
【技術分野】
【０００１】
本発明は、例えば、ファンヒーターの背面板等の基板に、エアフィルター等の被覆板を被覆させて着脱自在に固定する固定構造に関する。
【背景技術】
【０００２】
例えば、ファンヒーターの背面板に、エアフィルターを被覆させて着脱自在に固定する場合のように、基板（例えば、ファンヒーターの背面板）に、被覆板（例えば、エアフィルター）を着脱自在に添設固定させる固定構造として、ネジ、回転式係止具、さらには、樹脂の変形を利用したピン等の固定部材が採用されている。
【０００３】
ネジ止めでは、基板側にネジ孔を設け、被覆板側にネジ挿通孔を設け、固定部材としてのネジをネジ挿通孔に挿通させると共にネジ孔に螺合させて固定している。回転式係止具では、被覆板と基板とに連通するように設けた係止孔に、軸の先端に係止突起を張り出させた係止具を被覆板側から挿通させ、背面板の係止孔に挿通させた後に、前記軸を所定角度回動させることにより、前記背面板の係止孔に前記係止突起を抜け止め状態に係止させることにより固定することができる。
【０００４】
そして、樹脂の変形を利用したものでは、エアフィルターの枠体と背面板とに連通するように設けた貫通孔に、固定部材として、前記貫通孔よりもわずかに大径な樹脂製ピンを強制嵌入させ、前記樹脂製ピンが背面板の貫通孔内で弾性的に拡張することにより、両者を固定している。
【特許文献１】特開平９−１４２０７７号公報
【特許文献２】特許第３７７７７１５号公報
【発明の開示】
【発明が解決しようとする課題】
【０００５】
しかしながら、上記したような固定構造では、ネジや回転式係止具や樹脂製ピン等の固定部材は、基板や被覆板とは別部品であるから、被覆板の固定作業時には、片方の手で被覆板を基板に位置決めした状態で、もう片方の手のみで前記固定部材を扱わなければならず、固定作業がやりにくい。又、エアフィルターの交換時や保守点検時等に、被覆板を基板から取り外したときに、前記固定部材を紛失してしまうといった問題もある。紛失を防止するために、前記固定部材を被覆板又は基板と一体的に具備させることが考えられるが、これには、割りピンやＥリング等の他の補助部品が必要である上に、これらを利用するための冶具がさらに必要となり、部品点数が多くなる上に構造が煩雑化し、固定構造全体が大きくなってしまう。
【０００６】
上記問題点に加えて、ネジを利用する場合では、ネジを締付け過ぎたことよりネジ孔に螺合中のネジのネジ頭を破損させてしまうことがあり、この場合には、基板や被覆板全体の修理交換が必要となる不都合がある。
【０００７】
又、樹脂製ピンの貫通孔への嵌入のような樹脂の変形を利用した固定構造では、長期の使用により、樹脂製ピンの劣化等によって固定力が低下し、被覆板が基板より浮き上がるといった不都合がある。
【０００８】
さらに、これら固定構造では、固定完了時における固定部材の方向が特定されないため、固定部材による被覆板の基板への固定状況を、作業者が確実に把握することが困難であるといった問題もある。
【０００９】
本発明は、『基板に被覆させた被覆板を固定部材によって着脱自在に固定する被覆板の固定構造』において、部品点数を増やすことなく、固定部材を被覆板と一体化させて、固定部材の紛失を防止できるようにすると共に、固定部材による被覆板の基板への脱着作業を容易にすることを課題とする。
【課題を解決するための手段】
【００１０】
（１）請求項１に係る発明の被覆板の固定構造は、『前記固定部材は、前記被覆板に設けられているクリップ孔と、前記クリップ孔に対して回動自在で且つ抜け止め状態に装着される樹脂製のクリップ体とからなり、
前記クリップ孔に対応する前記基板の所定位置には係止孔が設けられ、
前記クリップ体は、前記クリップ孔及び前記係止孔に連続して挿通可能な係止脚部と、前記クリップ孔に対して強制嵌入により抜け止め状態に係止される係止腕部と、前記係止脚部を前記係止孔に対して抜け止め状態に係止可能となる方向へ回動操作可能な操作頭部とが、軸部を介して一体的に設けられてあり、
前記係止脚部は、前記軸部の一端近傍の相互に対向する各位置から両側方にそれぞれ一つずつ突設されており、
前記係止腕部は、前記係止脚部間の相互に対向する各位置から両側方にそれぞれ一つずつ、前記軸部の他端に向かって前記軸部から離反しながら斜めに延長するように突設されており、
前記クリップ孔は、被覆板の一方面に開放し且つ前記一対の係止脚部が同時に挿通可能な長孔とその中心に設けられ且つ前記一対の係止腕部が相互に近接する方向に弾性変形しながら挿通可能な大きさの丸孔とからなる形状の第１孔と、前記第１孔に連通すると共に被覆板の他方面に開放し且つ前記係止脚部及び前記係止腕部を同時に収容可能な深さの第２孔とからなり、
前記係止孔は、前記第１孔と同じ大きさ形状の長孔の中央に、前記一対の係止腕部が自然状態で挿通可能な大きさの丸孔を有する形状に構成されてあり、
前記係止脚部は、前記係止孔の前記長孔を挿通後、前記操作頭部の操作により所定角度回動させられた状態にて、前記係止孔の前記丸孔に係止可能である』ことを特徴とするものである。
上記技術的手段は次のように作用する。
クリップ体は、軸部に、係止脚部と係止腕部と操作頭部が設けられた構成の樹脂の一体成型体であり、係止脚部と係止腕部を前記クリップ孔に強制嵌入させることにより、係止腕部がクリップ孔に抜け止め状態に係止（ワンウェイ係合）される。これにより、クリップ体は被覆板に装着される態様となり、分離されることがない。この装着状態にて、操作頭部は被覆体の一方面側に突出しており、係止脚部は、係止腕部と同様に、前記被覆板の他方面側に位置している。
【００１１】
そして、クリップ孔を係止孔に合わせ、クリップ体の係止脚部を係止孔に挿通させる。挿通後に被覆板の前記一方面側に突出している操作頭部を所定の方向に回動させれば、係止脚部は係止孔に係止され、被覆板は基板に固定される。
【００１２】
操作頭部を係止脚部の係止孔への係止が解除される方向に回動させて、係止脚部を基板の係止孔から抜き取れば、被覆板を基板から取り外すことが出来る。取り外した後、クリップ体の係止腕部は被覆板のクリップ孔に抜け止め状態に係止された状態に維持されるから、クリップ体は被覆板から脱落して分離されることはない。
【００１３】
尚、係止脚部と係止腕部は軸部の一端近傍にそれぞれ一対ずつ対向位置に設けられており、一対の係止腕部は、前記軸部の一端近傍から他端へ向かって、略Ｕ字状或いは略Ｖ字状に斜めに延長形成されている。そして、係止脚部を第１孔の長孔に係止腕部と共に挿通させる。係止腕部は、延長端を相互に近接する方向に弾性変形させながら強制的に丸孔に挿通されるため、挿通後は前記延長端側が弾性復帰することにより、係止腕部は、丸孔の周縁に抜け止め状態にワンウェイ係合し、係止脚部と共に、クリップ孔の第２孔内に収容される態様となる。第１孔の長孔に、係止孔の長孔が同じ向きで対応するように、被覆板を基板に重ね、軸部をさらに基板側へ押し込んで、係止脚部をクリップ孔の第２孔から突出させると共に、係止孔の長孔に挿通させる。挿通後、係止脚部の突出方向が係止孔の長孔からずれるように、操作頭部を回動させれば、係止脚部が係止孔の丸孔に対して抜け止め状態に係止されることとなり、被覆板が基板に固定される。
【００１４】
被覆板を基板から取り外すには、操作頭部を再度回動させて、係止脚部の突出方向を係止孔の長孔に合わせた後に、操作頭部を引っ張って、前記長孔から抜き取れば良い。クリップ体をクリップ孔から抜き取る方向に操作頭部を引っ張ると、クリップ体の係止腕部がクリップ孔の第１孔の丸孔の周縁に抜け止め状態に係止される。よって、クリップ体はクリップ孔から脱落することはない。
【００１５】
（２）請求項２に係る発明のものは、請求項１に記載の被覆板の固定構造において、『前記操作頭部は、前記係止脚部の突設方向に細長い断面形状に構成されている』もので、操作頭部の姿勢で係止脚部の突出方向を確認することができ、係止孔の長孔の向きに対して直角に位置している場合は、被覆板の固定状態であり、平行に位置している場合は、固定解除状態であることを確認することができる。
【００１６】
（３）請求項３に係る発明のものは、上記各請求項に記載の被覆板の固定構造において、『前記クリップ体の前記操作頭部の基端部に、円板部を周方向に張り出させると共に、前記操作頭部と反対側の面に凸部を突設させ、
前記係止脚部が前記クリップ孔に挿通可能な前記クリップ体の第１の姿勢時と、前記第１の姿勢から前記係止脚部を周方向に９０度回動させた前記クリップ体の第２の姿勢時にて、前記凸部が対応する前記クリップ孔の周辺の各位置に、前記凸部が嵌合可能な凹部がそれぞれ設けられ、
前記係止脚部と前記円板部との間の距離は、前記係止孔の深さと前記クリップ孔の深さを合わせた長さに略一致するように設定されている』ことを特徴とするものであり、クリップ体は、合成樹脂の一体成型により、軸部の一端側に係止脚部と係止腕部を具備させ、他端側に操作頭部と円板部とを具備させた形状に構成されている。基板に被覆板を被覆させて、係止孔の長孔にクリップ孔の長孔を合わせ、クリップ体の係止脚部をクリップ孔及び係止孔に連続して差し込むと、前記係止脚部と前記円板部との間の距離は、前記係止孔の深さと前記クリップ孔の深さを合わせた長さに略一致するように設定されているから、基板の係止孔の周辺部と被覆板のクリップ孔の周辺部は、係止脚部と円板部との間にちょうど挟まれる態様となると共に、円板部に設けられている凸部は、クリップ孔の周辺に設けられている凹部に嵌合する。この状態がクリップ体の第１の姿勢であり、被覆板を基板から取り外すときの姿勢である。この状態から、操作頭部を強制的に回動させると、凸部が凹部から脱出させられ、前記凸部の突出高さ分、係止脚部又は円板部が弾性変形させられる。そして、前記操作頭部が９０度回動されたとき、その弾性復帰力によって、前記凸部が他の凹部に勢いよく嵌まり込むため、被覆板の基板への取付が完了したことを手応えと音で知ることが出来る。この状態がクリップ体の第２の姿勢である。前記第１の姿勢及び第２の姿勢は、凸部を凹部から無理に脱出させるほど操作頭部を強制的に回動させない限り、維持されることとなる。
【００１７】
（４）請求項４に係る発明のものは、上記各請求項に記載の被覆板の固定構造において、『前記係止脚部よりも前記操作頭部寄りの前記軸部に、一対の支持脚部を前記係止脚部と同方向に突設させ、前記係止脚部と前記支持脚部との間の距離は、前記基板の肉厚に略一致するように設定されている』ものでは、操作頭部を回動させて、係止脚部を係止孔に係合させると、基板の係止孔の周辺域が前記係止脚部と支持脚部で挟持される態様となる。
【００１８】
（５）請求項５に係る発明のものは、上記各請求項に記載の被覆板の固定構造において、『前記基板はファンヒーターの背面板であり、前記被覆板は矩形枠内にフィルター面を具備させたエアフィルターであり、
前記矩形枠の上辺近傍の両端に係止フックがそれぞれ斜め下方へ向かって突設されていると共に、前記係止フックが対応する前記背面板の所定箇所には前記係止フックが係止可能な係止孔部がそれぞれ設けられ、
前記係止フックを前記係止孔部に係止させた状態にて、前記矩形枠の下辺が対応する前記背面板の両端近傍には、前記下辺を受ける支持フックが設けられていると共に、前記クリップ孔は、前記下辺の中央に設けられている』もので、ファンヒーターの背面板にエアフィルターを装着させる固定構造にクリップ体とクリップ孔との構造を採用したものであり、エアフィルターの矩形枠の上辺は、係止フックを背面板の係止孔へ上方から係止させることにより固定され、矩形枠の下辺は、背面板に設けられている支持フックに支持されることにより固定される。この状態で、クリップ体を係止孔に挿通させて固定することにより、エアフィルターのファンヒーターの背面板への取付けが完了し、取り外すには、操作頭部を回動させると共にクリップ体を引っ張って、クリップ体による固定を解除し、その後、矩形枠を斜め上方に持ち上げて、係止フックを係止孔部から脱出させると共に、矩形枠の下辺を支持フックから離反させれば良い。
【発明の効果】
【００１９】
以上のように、請求項１に係る発明によれば、クリップ体は被覆板のクリップ孔に差し込むだけで抜け止め状態に装着される構成としたから、部品点数を増やすことなく、又、全体の大きさを大きくすることなく、クリップ体を被覆板に一体的に設けることが出来る。これにより、クリップ体は被覆板から不用意に分離されないから、被覆板を基板から取り外した後における固定部材の不使用時においても、クリップ体を紛失することがない。又、固定部材の大きさによる取付位置の制約も減少する。
【００２０】
又、クリップ体の係止脚部を基板側へ押し込んで、係止孔に挿通させた後、被覆板側の操作頭部を所定の方向に回動させるだけで、係止脚部は係止孔に抜け止め状態に係止され、この係止姿勢から、係止脚部が係止孔を挿通可能な姿勢となるように操作頭部を再度回動させた後、クリップ体を引っ張れば、係止脚部は係止孔から抜き取ることが出来、被覆板を基板から取り外すことが出来る。このように、固定部材を利用した被覆板の基板への脱着作業が容易となることから、被覆板の脱着作業の作業性が向上する。又、万一、作業中にクリップ体を破損させてしまった場合でも、被覆板又は基板から破損したクリップ体を容易に取り外すことができ、前記クリップ体のみを交換すれば良いから、破損時の対処が容易である。
【００２１】
又、軸部の相互に対向する位置にそれぞれ設けられた一対の係止腕部を相互に近接する方向に弾性変形させることにより、クリップ体をクリップ孔の第１孔にワンウェイ係合する構成としたから、クリップ体を被覆板に対して容易に抜け止め状態に装着させることができる。又、係止脚部と係止腕部をクリップ孔の第２孔内に収容可能としたから、被覆板を基板から取り外す際に、係止脚部や係止腕部が基板の所定箇所に引っ掛かることもなく、固定部材の不使用時における前記係止脚部及び係止腕部の破損を防止することができる。
【００２２】
又、請求項２に係る発明によれば、作業者による固定状況を容易に且つ確実に把握することができるから、被覆板の基板への脱着作業の作業性及び確実性が向上する。
又、請求項３に係る発明によれば、円板部の凸部が凹部に勢いよく嵌まり込むことにより、固定部材の固定状況を手応えと音で知ることが出来るから、作業者が一層容易に且つ確実に固定部材の固定状況を確認することができる。
【００２３】
又、請求項４に係る発明によれば、被覆板を基板に被覆させ、クリップ体によって両者を固定したとき、基板の係止孔の周辺域は、クリップ体の係止脚部と支持脚部で挟持される態様となるから、係止脚部を係止孔へ挿通させて係止させた状態におけるクリップ体の姿勢を安定させることができる。よって、係止脚部の係止孔への係止時はもちろん、操作頭部の回動操作時においても、クリップ体がぐらつくことがなく、安定した状態でクリップ体を操作することができる。
【００２４】
又、請求項５に係る発明によれば、ファンヒーターの背面板にエアフィルターを脱着させる作業が容易となる上に、エアフィルターのメンテナンスや交換時に、固定部材としてのクリップ体を紛失してしまう不都合がない。
【発明を実施するための最良の形態】
【００２５】
以下に、本発明を実施するための最良の形態について添付図面を参照しながら説明する。
本発明の実施の形態における基板は、ファンヒーターの背面板(3)であり、被覆板は、前記背面板(3)に添設させるエアフィルター(4)とする。
【００２６】
図１に示すように、背面板(3)には、ヒーター本体（図示せず）に燃焼用空気を送り込むための多数の給気口(31)が設けられている。この給気口(31)からヒーター本体内に埃が侵入するのを防止するために、ヒーター本体の背面板(3)は、エアフィルター(4)で被覆される。
【００２７】
エアフィルター(4)は、背面板(3)の給気口(31)の形成域を囲む大きさの矩形枠(40)と、矩形枠(40)内に張設される金網等からなるフィルター部(41)とから構成されている。矩形枠(40)は、その縦中心線部(42)で左右に二分割されており、その左右それぞれに前記フィルター部(41)(41)が張設された構成となっている。
矩形枠(40)の上辺(45)の左右端近傍には、背面板(3)の上端の左右両側に貫通している一対の係止孔部(33)(33)に係止可能な係止フック(43)(43)が突設している。
【００２８】
又、前記縦中心線部(42)の下端には、後述するクリップ体(1)が抜け止め状態に挿通可能なクリップ孔(2)が形成されている。そして、係止フック(43)(43)を係止孔部(33)(33)に係止させた状態における、前記クリップ孔(2)に対応する背面板(3)の所定位置には、前記クリップ体(1)がさらに抜け止め状態に係止可能な係止孔(30)が貫通していると共に、矩形枠(40)の下辺(44)に対応する、背面板(3)の両端近傍の各位置には、前記下辺(44)を下方から支持する支持フック(34)(34)が突設されている。
【００２９】
クリップ体(1)は、合成樹脂の一体成型により構成されているもので、図１及び図２の(A)(B)に示すように、略円筒形の軸部(11)の一端に、係止腕部(12)(12)と係止脚部(13)(13)が、それぞれ、９０度間隔で交互に側方に向かって突設されていると共に、軸部(11)の他端側には、前記係止脚部(13)(13)の突出方向に細長く形成された操作頭部(15)が突設されている。尚、図２の(B)は(A)を９０度回転させた状態を示している。
【００３０】
操作頭部(15)の基端部には円板部(10)が張り出しており、円板部(10)と係止脚部(13)との間には、一対の支持脚部(14)(14)が係止脚部(13)(13)と同方向に張り出している。尚、係止脚部(13)と支持脚部(14)との間の距離は、背面板(3)の肉厚に略一致するように設定されている。
【００３１】
円板部(10)の周縁のうち、操作頭部(15)の長手方向に対して直角に交わる直径の両端部に、一対の凸部(16)(16)を、軸部(11)の前記一端側の面（図２では下面）に突設させている。
尚、係止腕部(12)(12)は、図２の(B)に示すように、軸部(11)の前記一端（図面では下端）から上方へ向かって、相互に離反する方向に斜めに延長するように突設されており、その延長端は、係止脚部(13)よりも高く位置するように設定されている。又、基端部の外側端間の距離(L1)よりも、延長端の外側端間の距離(L2)の方が大きく設定されている。又、係止腕部(12)(12)は合成樹脂の弾性を利用して、相互に近接する方向に弾性変形可能となっている。
【００３２】
背面板(3)にエアフィルター(4)を添設固定させるためには、まず、エアフィルター(4)の矩形枠(40)の下辺(44)を背面板(3)の支持フック(34)(34)に係止させ、そのまま、上辺(45)を背面板(3)側へ近づけた後、エアフィルター(4)を少し持ち上げて、係止フック(43)(43)を係止孔部(33)(33)に係止させる。この状態にて、背面板(3)の係止孔(30)に、エアフィルター(4)の縦中心線部(42)の下端に設けられたクリップ孔(2)が連通する。そして、クリップ孔(2)及び係止孔(30)にクリップ体(1)を挿通させて固定すれば、エアフィルター(4)が背面板(3)に添設固定される。
【００３３】
クリップ孔(2)は、図３に示すように、矩形枠(40)の下辺(44)から背面板(3)と反対側（外方）へ所定高さ突出する筒部(20)内に形成されている。
筒部(20)には、前述のクリップ体(1)の円板部(10)がちょうど収容可能な大きさ及び深さの凹み部(25)が前記外方へ開放するように設けられていると共に、クリップ孔(2)は、前記凹み部(25)に開放する第１孔(21)と、第１孔(21)に連通し且つ背面板(3)側（内方）へ開放する第２孔(22)とから構成されている。第２孔(22)の深さは、係合腕部(12)の延長高さに略一致する程度に設定されている（図６参照）。
【００３４】
第１孔(21)の形状は、図４に示すように、長辺が下辺(44)に沿って位置する長孔(21a)と、その中央に位置する丸孔(21b)とからなり、第２孔(22)は、図５に示すように、対向位置にそれぞれ柱部(23)(24)が設けられており、これら柱部(23)(24)以外の部分が開放する形状となっている。
尚、第１孔(21)の長孔(21a)の長辺長さは、クリップ体(1)の係合脚部(13)の突出端面間の長さ(L3)（図２(A)参照）よりも長く設定されており、丸孔(21b)の直径は、係合腕部(12)(12)の基端部の外側端間の距離(L1)よりも大きく且つ係合腕部(12)(12)の延長端の外側端間の距離(L2)（図２(B)参照）よりも小さく設定されている。
【００３５】
係止腕部(12)(12)は上記したように、相互に近接する方向に弾性変形可能であるから、係合脚部(13)(13)の突出方向を長孔(21a)の長辺に合わせて、クリップ体(1)を前記一端側からクリップ孔(2)に挿入する。すると、係合脚部(13)(13)がクリップ孔(2)の長孔(21a)を通過し且つ係止腕部(12)(12)が延長端側を相互に近接する方向に弾性変形させながら、丸孔(21b)を通過する。そして、通過後に、第２孔(22)内で係止腕部(12)(12)は弾性復帰することにより、図６に示すように、係止腕部(12)(12)の延長端が第１孔(21)の丸孔(21b)の周縁に当接する。これにより、クリップ体(1)はクリップ孔(2)に対して抜け止め状態となる。
尚、図４に示すように、凹み部(25)の周縁の、前記長孔(21a)の長手方向両端の両側方に相当する各箇所と、これらからそれぞれ９０度回転させた各箇所、すなわち、第１孔(21)の上下及び左右方向に、それぞれ、前記円板部(10)の凸部(16)の高さに略一致する深さの凹部(26)(27)が形成されている。
【００３６】
背面板(3)に形成した係止孔(30)の形状は、クリップ孔(2)の第１孔(21)の形状に略一致するように形成されているが、中央の丸孔の直径は、前述した係合腕部(12)の延長端の外側端相互間の距離(L2)よりも大きく設定されているものとする。
【００３７】
そして、係合脚部(13)から円板部(10)の前記下面までの距離(L4)は、第２孔(22)の開放端から凹み部(25)の底部までの距離に、背面板(3)の肉厚を合わせた長さ(L5)に略一致してあり、又、係合脚部(13)(13)の、支持脚部(14)(14)に対向する側の面は、クリップ体(1)の回動方向に向かって降下する傾斜面(13a)(13a)となっている（図６参照）。
【００３８】
クリップ体(1)を用いて、エアフィルター(4)の下辺(44)の中央を背面板(3)の中央に固定するには、まず、上述したように、エアフィルター(4)の矩形枠(40)の下辺(44)を背面板(3)の支持フック(34)(34)に支持させ、係止フック(43)(43)を係止孔部(33)(33)に係止させる。このとき、エアフィルター(4)のクリップ孔(2)には、予めクリップ体(1)が上記要領にて抜け止め状態に装着されているものとする。
【００３９】
クリップ孔(2)の第１孔(21)及び背面板(3)の係止孔(30)の長孔は共に下辺(44)に平行に位置する向きに形成されていると共に、操作頭部(15)は係合脚部(13)(13)の突出方向に沿って細長い形状に形成されていることから、操作頭部(15)が横向きになるようにクリップ体(1)の姿勢を決定する（第１の姿勢）。この姿勢における係合脚部(13)(13)の回動方向の面は、それぞれ、図５に示すクリップ孔(2)の第２孔(22)内の、柱部(23)(24)を構成している水平面(23a)(24a)に当接することとなる。その姿勢のまま、円板部(10)の前記下面が筒部(20)の凹み部(25)の底面に当接するまでクリップ体(1)を押し込んでいくと、図７に示すように、円板部(10)の凸部(16)(16)が、凹み部(25)の上下に形成されている凹部(27)(27)に嵌まり込む態様となる。他方、係合腕部(12)及び係合脚部(13)は、背面板(3)の係止孔(30)を容易に挿通し、係合脚部(13)(13)は背面板(3)の係止孔(30)を貫通して、ファンヒーター本体内に突出する。
【００４０】
この図７の状態から、操作頭部(15)を時計回りに９０度回動させる。
係止脚部(13)から円板部(10)の前記下面までの距離(L4)は、上述したように、第２孔(22)の開放端から凹み部(25)の底部までの距離に背面板(3)の肉厚を合わせた長さ(L5)に略一致するように設定されているから、操作頭部(15)を回動させると、凸部(16)(16)が凹部(27)(27)から強制的に脱出させられると同時に、係合脚部(13)(13)が係止孔(30)の周縁内面に摺接する。このとき、円板部(10)は、凸部(16)(16)の突出高さ分、凹み部(25)から浮き上がる態様に弾性変形させられると同時に、係合脚部(13)(13)の背面板(3)の内面に接触する面は、クリップ体(1)の回動方向に向かって降下する傾斜面(13a)(13a)となっているから、係合脚部(13)(13)は、前記傾斜面(13a)(13a)を利用して、背面板(3)の係止孔(30)の周縁内面にスムーズに入り込ませることが出来る。このとき、係止孔(30)の周縁は、係止脚部(13)と支持脚部(14)との間に位置する態様となるため、クリップ体(1)のクリップ孔への差込姿勢が安定する。
【００４１】
この姿勢のまま９０度回動させた状態が、図８に示す、クリップ体(1)の第２の姿勢である。操作頭部(15)は垂直姿勢を呈すると同時に、係合脚部(13)(13)は、背面板(3)の係止孔(30)の周縁内面の上下域にそれぞれ抜け止め状態に係止され、凸部(16)(16)は、凹み部(25)の左右端に位置する凹部(26)(26)に対応した時点で、円板部(10)の弾性復帰力によって、凸部(16)(16)は凹部(26)(26)に勢い良く嵌まり込む態様となる。
【００４２】
この状態が、クリップ体(1)によってエアフィルター(4)が背面板(3)に固定された状態であり、凸部(16)(16)が凹部(26)(26)に嵌まり込むときの手ごたえや音によって、クリップ体(1)が確実に抜け止め状態に係止されていることを確認することができる。
【００４３】
フィルター部(41)の取替え等のメンテナンス時に、エアフィルター(4)を背面板(3)から取り外すには、クリップ体(1)の操作頭部(15)を、反時計回りに９０度回動させる。すると、凹み部(25)の左右端の凹部(26)(26)から凸部(16)(16)が脱出させられて、凸部(16)(16)が凹み部(25)の上下端の凹部(27)(27)に到達した時点で、凹部(27)(27)に嵌まり込むことにより、図７の状態と同じ状態となる。
【００４４】
この状態から、クリップ体(1)を引っ張ると、係止腕部(12)及び係止脚部(13)(13)が、背面板(3)の係止孔(30)を通過すると同時に、円板部(10)が凹み部(25)から離反し、係止腕部(12)及び係止脚部(13)が筒部(20)内に収容される。こうして、係止脚部(13)(13)による係止孔(30)への係合を解除した後、エアフィルター(4)を上方へ持ち上げて、矩形枠(40)の下辺(44)の、支持フック(34)(34)による支持を解除すると同時に、係止フック(43)(43)を係止孔部(33)(33)から引き抜く。これにより、エアフィルター(4)をファンヒーターの背面板(3)から取り外すことが出来る。
【００４５】
クリップ体(1)を背面板(3)の係止孔(30)から引き抜いても、図６に示すように、係止腕部(12)の延長端が、クリップ孔(2)の第１孔(21)に設けられている丸孔(21b)の周囲に当接する態様となるため、クリップ体(1)は、エアフィルター(4)のクリップ孔(2)から抜け落ちることはない。
【００４６】
よって、エアフィルター(4)を背面板(3)から取り外してもクリップ体(1)はエアフィルター(4)から分離されることがないので、クリップ体(1)の紛失を防止することができる。
又、この実施の形態のものでは、操作頭部(15)が垂直に位置するときは、係止脚部(13)(13)が背面板(3)の係止孔(30)に係止している、クリップ体(1)の固定状態であり、水平に位置するときは、係止脚部(13)(13)が係止孔(30)から脱出可能なクリップ体(1)の固定解除状態であるから、操作頭部(15)の姿勢によって、クリップ体(1)による固定状況を容易に確認することが出来る。
【００４７】
垂直姿勢或いは水平姿勢にある操作頭部(15)を回動させるには、凹部(26)又は凹部(27)に嵌まり込んでいる円板部(10)の凸部(16)(16)を、円板部(10)を弾性変形させながら、前記凹部(26)又は凹部(27)から強制的に脱出させるだけの力が必要である。言い換えれば、固定姿勢にあるクリップ体(1)が自然に回動して固定状態が緩んだり、係止脚部(13)(13)の係止孔(30)への係止が解除されて、エアフィルター(4)が背面板(3)から不用意に外れるといった不都合はない。
【００４８】
クリップ体(1)は、上記したように不用意に回動することはないが、他の部品や冶具を用いなくても操作頭部(15)を回動させるだけで、クリップ体(1)によるエアフィルター(4)の取り付け、取り外しを容易に行うことができるから、エアフィルター(4)の背面板(3)への脱着作業の作業性は向上する。
【００４９】
尚、上記実施の形態では、エアフィルター(4)の下辺(44)の中央にのみクリップ孔(2)を設け、一つのクリップ体(1)で、背面板(3)に固定するようにしたが、クリップ孔(2)をエアフィルター(4)の複数個所に設け、その各々に具備させるクリップ体(1)で、背面板(3)の対応する複数個所に設けた係止孔(30)に係止させて固定させる構成としても良い。この場合、エアフィルター(4)の背面板(3)に対する固定強度を一層向上させることができる。
【図面の簡単な説明】
【００５０】
【図１】本発明実施の形態の基板としての背面板と、被覆板としてのエアフィルターと、これらを固定する固定手段としてのクリップ体とを示す分解斜視図。
【図２】本発明実施の形態で採用したクリップ体の説明図であり、(B)は(A)を９０度回転させた状態を示す。
【図３】本発明実施の形態で採用したエアフィルターの下辺中央の断面図。
【図４】本発明実施の形態で採用したエアフィルターの下辺中央の説明図。
【図５】本発明実施の形態で採用したエアフィルターの矩形枠を省略した筒部の背面図。
【図６】本発明実施の形態で採用したクリップ体をクリップ孔に挿入させた状態を示す説明図。
【図７】図６の状態から、クリップ体をさらに差し込んだ状態を示す説明図。
【図８】図７の状態から、クリップ体を９０度回動させた状態を示す説明図。
【符号の説明】
【００５１】
(1) ・・・・・・固定部材（クリップ体）
(11)・・・・・・軸部
(12)・・・・・・係止腕部
(13)・・・・・・係止脚部
(15)・・・・・・操作頭部
(2) ・・・・・・固定部材（クリップ孔）
(3) ・・・・・・基板（背面板）
(30)・・・・・・係止孔
(4) ・・・・・・被覆板（エアフィルター）  
【図１】
0004918434.tif 000002
【図２】
0004918434.tif 000003
【図３】
0004918434.tif 000004
【図４】
0004918434.tif 000005
【図５】
0004918434.tif 000006
【図６】
0004918434.tif 000007
【図７】
0004918434.tif 000008
【図８】
0004918434.tif 000009